(57)【要約】      （修正有）【課題】光コネクタとの干渉を抑制すると共に、限られたスペースでも使用することができる光トランシーバを提供する。【解決手段】光トランシーバは、ホストシステムのケージに挿抜される光トランシーバであって、挿抜方向である第１方向Ａ１に対して第１方向と交差する第２方向Ａ２に傾斜する部分を含むスリット２６ａを有するスライダ２２と、スライダを第１方向に沿って移動可能に支持するハウジングと、第２方向に突出しておりケージと係合する突起２４ｂ、及び突起に対して第１方向に並んでおりスリット内を移動する軸２４ａを有するラッチ部材２４と、を備え、ハウジングは、第２方向におけるラッチ部材の両側にそれぞれ設けられた一対の凸部２１ｈ、５１ｄを有し、一対の凸部は、突起と軸との間においてラッチ部材とそれぞれ当接することによりラッチ部材を揺動可能に支持する。【選択図】図１３
2019124927.tif 000002
【特許請求の範囲】
【請求項１】
ホストシステムのケージに挿抜される光トランシーバであって、
挿抜方向である第１方向に対して前記第１方向と交差する第２方向に傾斜する部分を含むスリットを有するスライダと、
前記スライダを前記第１方向に沿って移動可能に支持するハウジングと、
前記第２方向に突出しており前記ケージと係合する突起、及び前記突起に対して前記第１方向に並んでおり前記スリット内を移動する軸を有するラッチ部材と、を備え、
前記ハウジングは、前記第２方向における前記ラッチ部材の両側にそれぞれ設けられた一対の凸部を有し、
前記一対の凸部は、前記突起と前記軸との間において前記ラッチ部材とそれぞれ当接することにより前記ラッチ部材を揺動可能に支持する、光トランシーバ。
【請求項２】
前記ハウジングは、前記一対の凸部のうち前記ケージ側に位置する一方の前記凸部を含む第１部材と、他方の前記凸部を含む第２部材と、を含み、前記第１部材と前記第２部材とが互いに固定されてなる、請求項１に記載の光トランシーバ。
【請求項３】
前記スライダのうち少なくとも前記スリットを含む部分が前記第１部材と前記第２部材との間に配置されている、請求項２に記載の光トランシーバ。
【請求項４】
前記ハウジングは、前記第１方向に対して前記第２方向に傾斜する部分を含む別のスリットを更に有し、
前記ラッチ部材は、前記第１方向において前記一対の凸部に当接する部分と前記軸との間に設けられて前記別のスリット内を移動する別の軸を更に有し、
前記別のスリットは、前記第１部材に形成された凹部と前記第２部材に形成された凹部とが互いに組み合わされて構成されている、請求項２または３に記載の光トランシーバ。
【請求項５】
前記ラッチ部材の前記突起と前記ケージとの係合が解除される前記スライダの位置から、前記突起が前記ケージと係合される前記スライダの位置へ向けて前記スライダを付勢する弾性部材を更に備える、請求項１〜４のいずれか１項に記載の光トランシーバ。
【請求項６】
前記ラッチ部材は、前記ケージとは反対側の面に形成された凹部を有し、
前記凹部は、前記一対の凸部のうち前記ケージ側とは反対側に位置する前記凸部を収容するとともに、その内面において前記凸部と当接する、請求項１〜５のいずれか１項に記載の光トランシーバ。
【請求項７】
前記第１方向における前記凹部と前記凸部との間に隙間が設けられ、該隙間は前記第１方向における前記ラッチ部材の可動範囲を規定する、請求項６に記載の光トランシーバ。
【請求項８】
前記凹部の前記軸側の縁と前記凸部とが当接しており、前記ラッチ部材は前記凹部の縁を中心として揺動する、請求項６に記載の光トランシーバ。
【請求項９】
前記ハウジングは、前記第１方向に対して前記第２方向に傾斜する部分を含む別のスリットを更に有し、
前記ラッチ部材は、前記第１方向において前記一対の凸部に当接する部分と前記軸との間に設けられて前記別のスリット内を移動する別の軸を更に有する、請求項１に記載の光トランシーバ。
【請求項１０】
前記スリットは、前記第１方向に対して傾斜する部分の先端に、前記第１方向に延在する部分を更に有する、請求項１〜９のいずれか１項に記載の光トランシーバ。
【請求項１１】
前記スリットは湾曲しており、その曲率中心は前記ケージ側とは反対側に位置する、請求項１〜１０のいずれか１項に記載の光トランシーバ。
【請求項１２】
前記ラッチ部材において前記一対の凸部と当接する部分の前記第２方向における幅は、前記突起に近づくに従い次第に大きくなる、請求項１〜１１のいずれか１項に記載の光トランシーバ。
【請求項１３】
前記一対の凸部における前記ラッチ部材と当接する表面は、前記第１方向及び前記第２方向に沿った断面内において湾曲する曲面である、請求項１〜１２のいずれか１項に記載の光トランシーバ。
【発明の詳細な説明】
【技術分野】
【０００１】
本発明は、光トランシーバに関するものである。
【背景技術】
【０００２】
特許文献１には、光トランシーバとしてのデータ通信モジュールに関する技術が記載されている。このデータ通信モジュールは、ケージへの挿入方向に延びる直方体状のハウジングと、クランク旋回軸においてハウジングに接続されたＴ字形のクランクと、リスト旋回軸においてクランクに接続されたアクチュエータ・ハンドルとを備えている。クランク及びアクチュエータ・ハンドルは、データ通信モジュールとケージとの係合を解除するラッチ解除機構を構成している。データ通信モジュールがケージに挿入された状態で使用者がアクチュエータ・ハンドルを引っ張ると、アクチュエータ・ハンドルがハウジングに対してスライドすると共にクランクが回転する。この回転に伴って、クランクの端部に設けられたピンが持ち上がり、データ通信モジュールとケージとの係合が解除される。
【先行技術文献】
【特許文献】
【０００３】
【特許文献１】特開２０１４−１２０４８１号公報
【発明の概要】
【発明が解決しようとする課題】
【０００４】
ホストシステムのケージに対して挿抜される光トランシーバにおいては、その後面（ケージとは反対側の面）から光コネクタが延出する。特許文献１に記載されたデータ通信モジュールでは、使用者がアクチュエータ・ハンドルを引っ張る際に、アクチュエータ・ハンドル又はクランクが光コネクタと干渉することが想定される。また、このデータ通信モジュールでは、アクチュエータ・ハンドルを引っ張るとクランクがハウジングの外部で回転するので、光トランシーバを限られたスペースにおいて用いることが困難となる場合がある。本発明は、光コネクタとの干渉を抑制すると共に、限られたスペースでも使用することができる光トランシーバを提供することを目的とする。
【課題を解決するための手段】
【０００５】
上述した課題を解決するために、一実施形態に係る光トランシーバは、ホストシステムのケージに挿抜される光トランシーバであって、挿抜方向である第１方向に対して第１方向と交差する第２方向に傾斜する部分を含むスリットを有するスライダと、スライダを第１方向に沿って移動可能に支持するハウジングと、第２方向に突出しておりケージと係合する突起、及び突起に対して第１方向に並んでおりスリット内を移動する軸を有するラッチ部材と、を備える。ハウジングは、第２方向におけるラッチ部材の両側にそれぞれ設けられた一対の凸部を有する。一対の凸部は、突起と軸との間においてラッチ部材とそれぞれ当接することによりラッチ部材を揺動可能に支持する。
【発明の効果】
【０００６】
本発明による光トランシーバによれば、光コネクタとの干渉を抑制すると共に、限られたスペースでも使用することができる。
【図面の簡単な説明】
【０００７】
【図１】図１は、一実施形態に係る光トランシーバ挿抜機構１の構成を示す斜視図である。
【図２】図２は、光トランシーバ２の外観を示す斜視図であって、光トランシーバ２を斜め上方から見た図である。
【図３】図３は、光トランシーバ２の外観を示す斜視図であって、光トランシーバ２を斜め下方から見た図である。
【図４】図４は、主部２１に取り付けられたカバー５１を拡大して示す斜視図である。
【図５】図５の（ａ）及び（ｂ）は、スライダ２２がハウジング２０に対して相対的に移動する様子を示す斜視図である。図５の（ａ）はスライダ２２が前方に移動した状態を示し、図５の（ｂ）はスライダ２２が後方に移動した状態を示す。
【図６】図６の（ａ）及び（ｂ）は、スライダ２２及びプルタブ２３の外観を示す斜視図である。図６の（ａ）はスライダ２２及びプルタブ２３を斜め上方から見た斜視図であり、図６の（ｂ）はスライダ２２及びプルタブ２３を斜め下方から見た斜視図である。
【図７】図７は、主部２１の底面２１ｄの前端付近を拡大して示す斜視図である。
【図８】図８の（ａ）及び（ｂ）は、主部２１の底面２１ｄ上にスライダ２２の底板２２ｇが配置された状態を示す斜視図である。図８の（ａ）はスライダ２２が前方に移動した状態を示し、図５の（ｂ）はスライダ２２が後方に移動した状態を示す。
【図９】図９は、カバー５１の外観を示す斜視図であって、主部２１と対向する側のカバー５１の面の形状を示している。
【図１０】図１０は、主部２１の底面２１ｄとカバー５１との間に収納される他の部品を示す図であって、カバー５１が外された底面２１ｄを斜め下方から見た斜視図である。
【図１１】図１１は、主部２１の底面２１ｄとカバー５１との間に収納される他の部品を示す分解斜視図である。
【図１２】図１２の（ａ）及び（ｂ）は、ラッチ部材２４の外観を示す斜視図である。図１２の（ａ）は斜め上方から見たラッチ部材２４の外観を示し、図１２の（ｂ）は斜め下方から見たラッチ部材２４の外観を示す。
【図１３】図１３は、主部２１とカバー５１との間にラッチ部材２４及びスリット部材２６が収容された状態を示す切り欠き斜視図である。
【図１４】図１４は、スライダ２２が後方に移動した状態を示す図であって、カバー５１が外された底面２１ｄを斜め下方から見た斜視図である。
【図１５】図１５は、スライダ２２が後方に移動した状態を示す切り欠き斜視図である。
【図１６】図１６は、ラッチ部材２４の突起２４ｂと、ケージ本体４１のラッチ機構２０１に形成された開口の縁２０１ａとが係合している様子を示す断面図である。
【図１７】図１７は、ラッチ部材２４の揺動動作を示す断面図であって、ラッチ部材２４及びスリット部材２６の挿抜方向Ａ１及び方向Ａ２に沿った断面を示す。
【図１８】図１８は、第１変形例に係るラッチ部材２４Ａの外観を示す斜視図である。
【図１９】図１９は、ラッチ部材２４Ａが主部２１とカバー５１との間に収容された状態を示す断面図であって、スライダ２２が前方に移動した状態を示す。
【図２０】図２０は、ラッチ部材２４Ａが主部２１とカバー５１との間に収容された状態を示す断面図であって、スライダ２２が後方に移動した状態を示す。
【図２１】図２１は、第２変形例に係るラッチ部材２４Ｂが主部２１とカバー５１との間に収容された状態を示す断面図であって、スライダ２２が前方に移動した状態を示す。
【図２２】図２２は、第２変形例に係るラッチ部材２４Ｂが主部２１とカバー５１との間に収容された状態を示す断面図であって、スライダ２２が後方に移動した状態を示す。
【図２３】図２３は、第２変形例のラッチ部材２４Ｂの揺動動作を示す断面図であって、ラッチ部材２４Ｂ及びスリット部材２６の挿抜方向Ａ１及び方向Ａ２に沿った断面を示す。
【図２４】図２４は、第３変形例に係る光トランシーバ２Ａの一部を拡大して示す図であって、カバー５１が外された底面２１ｄを斜め下方から見た斜視図である。
【図２５】図２５は、第３変形例に係る光トランシーバ２Ａの一部を拡大して示す図であって、カバー５１が外された光トランシーバ２Ａの底面図である。
【図２６】図２６の（ａ）及び（ｂ）は、第３変形例に係る光トランシーバ２Ａの一部を拡大して示す図である。図２６の（ａ）は図２５のXXVIa−XXVIa線に沿った断面図であり、図２６の（ｂ）は図２５のXXVIb−XXVIb線に沿った断面図である。図２６の（ａ）及び（ｂ）は、スライダ２２が前方に移動した状態を示す。
【図２７】図２７の（ａ）及び（ｂ）は、第３変形例に係る光トランシーバ２Ａの一部を拡大して示す図である。図２７の（ａ）及び（ｂ）は、スライダ２２が後方に移動した状態を示す断面図である。図２７の（ａ）は図２６の（ａ）と同じ断面を示しており、図２７の（ｂ）は図２６の（ｂ）と同じ断面を示している。
【図２８】図２８の（ａ）及び（ｂ）は、第４変形例に係るスリット部材２６Ａ及びその周辺構造を示す断面図である。図２８の（ａ）はスライダ２２が前方に移動した状態を示し、図２８の（ｂ）は図２８の（ａ）からスライダ２２の位置が僅かに変動した状態を示す。
【図２９】図２９は、第５変形例に係るラッチ部材２４Ｄが主部２１とカバー５１との間に収容された状態を示す断面図であって、スライダ２２が前方に移動した状態を示す。
【図３０】図３０は、第５変形例に係るラッチ部材２４Ｄが主部２１とカバー５１との間に収容された状態を示す断面図であって、スライダ２２が後方に移動した状態を示す。
【図３１】図３１は、第５変形例のラッチ部材２４Ｄの揺動動作を示す断面図であって、ラッチ部材２４Ｄ及びスリット部材２６の挿抜方向Ａ１及び方向Ａ２に沿った断面を示す。
【発明を実施するための形態】
【０００８】
［本発明の実施形態の説明］
最初に、本発明の実施形態の内容を列記して説明する。一実施形態に係る光トランシーバは、ホストシステムのケージに挿抜される光トランシーバであって、挿抜方向である第１方向に対して第１方向と交差する第２方向に傾斜する部分を含むスリットを有するスライダと、スライダを第１方向に沿って移動可能に支持するハウジングと、第２方向に突出しておりケージと係合する突起、及び突起に対して第１方向に並んでおりスリット内を移動する軸を有するラッチ部材と、を備える。ハウジングは、第２方向におけるラッチ部材の両側にそれぞれ設けられた一対の凸部を有する。一対の凸部は、突起と軸との間においてラッチ部材とそれぞれ当接することによりラッチ部材を揺動可能に支持する。
【０００９】
この光トランシーバにおいては、当該光トランシーバがホストシステムのケージに挿入されている状態でスライダが後方に移動すると、スライダのスリットもまた後方に移動するので、ラッチ部材の軸が光トランシーバの外側（ケージ側）へ移動する。ラッチ部材はハウジングの一対の凸部によって揺動可能に支持されているので、ラッチ部材の軸がケージ側へ移動すると、ラッチ部材の突起はケージ側とは反対側へ移動する。これにより、ラッチ部材の突起とケージとの係合が解除される。このような機構によれば、スライダの直線移動とラッチ部材の揺動のみによってケージとの係合を解除することができ、特許文献１のような大型のクランクを必要としない。従って、光コネクタとの干渉を抑制すると共に、限られたスペースでも使用することができる。
【００１０】
上記の光トランシーバにおいて、ハウジングは、一対の凸部のうちケージ側に位置する一方の凸部を含む第１部材と、他方の凸部を含む第２部材と、を含み、第１部材と第２部材とが互いに固定されて成ってもよい。この場合、ハウジングを組み立てる際にラッチ部材を第１部材と第２部材との間に挟み込むことにより、一対の凸部をラッチ部材の両側から容易に当接させることができる。
【００１１】
上記の光トランシーバにおいて、スライダのうち少なくともスリットを含む部分が第１部材と第２部材との間に配置されてもよい。これにより、可動である該部分を第２部材によって覆うことができ、光トランシーバの外部の構造体（ケージ等）に引っ掛かることを抑制できる。故に、スライダの脱離及び動作異常を低減できる。
【００１２】
上記の光トランシーバにおいて、ハウジングは、第１方向に対して第２方向に傾斜する部分を含む別のスリットを更に有し、ラッチ部材は、第１方向において一対の凸部に当接する部分と軸との間に設けられて別のスリット内を移動する別の軸を更に有し、別のスリットは、第１部材に形成された凹部と第２部材に形成された凹部とが互いに組み合わされて構成されてもよい。このように、ハウジングが別のスリットを有し、且つラッチ部材が別のスリット内を移動する別の軸を有することによって、ラッチ部材の揺動動作をより安定させることができる。また、第１部材の凹部と第２部材の凹部とが互いに組み合わされて別のスリットが構成されることにより、ハウジングを組み立てる際に、別のスリット内に別の軸を容易に収容することができる。
【００１３】
上記の光トランシーバは、ラッチ部材の突起とケージとの係合が解除されるスライダの位置から、突起がケージと係合されるスライダの位置へ向けてスライダを付勢する弾性部材を更に備えてもよい。これにより、ラッチ部材の突起とケージとの係合が意図せず解除されることを抑制できる。
【００１４】
上記の光トランシーバにおいて、ラッチ部材は、ケージとは反対側の面に形成された凹部を有し、凹部は、一対の凸部のうちケージ側とは反対側に位置する凸部を収容するとともに、その内面において凸部と当接してもよい。これにより、第１方向におけるハウジングに対するラッチ部材の過度な移動を規制し、ラッチ部材を所定の位置に安定して留め置くことができる。この場合、第１方向における凹部と凸部との間に隙間が設けられ、該隙間は第１方向におけるラッチ部材の可動範囲を規定してもよい。これにより、ラッチ部材を所定の可動範囲内に安定して留め置くことができる。或いは、この場合、上記軸側の凹部の縁と凸部とが当接しており、ラッチ部材は凹部の縁を中心として揺動してもよい。これにより、軸とは反対側（すなわち突起部側）へのラッチ部材の移動を規制することができる。
【００１５】
上記の光トランシーバにおいて、ハウジングは、第１方向に対して第２方向に傾斜する部分を含む別のスリットを更に有し、ラッチ部材は、第１方向において一対の凸部に当接する部分と軸との間に設けられて別のスリット内を移動する別の軸を更に有してもよい。これにより、ラッチ部材の揺動動作をより安定させることができる。
【００１６】
上記の光トランシーバにおいて、スリットは、第１方向に対して傾斜する部分の先端に、第１方向に延在する部分を更に有してもよい。これにより、スライダの移動が僅かである場合にはラッチ部材が揺動しないので、光トランシーバとケージとの係合の意図しない解除を抑制することができる。
【００１７】
上記の光トランシーバにおいて、スリットは湾曲しており、その曲率中心はケージ側とは反対側に位置してもよい。これにより、ラッチ部材の揺動中心がラッチ部材に対してケージの反対側に位置し易くなり、係合を解除する際、突起の移動方向をケージから斜めに離れる方向とすることができる。従って、係合を解除する際の突起とケージとの引っ掛かりを低減することができる。
【００１８】
上記の光トランシーバにおいて、ラッチ部材において一対の凸部と当接する部分の第２方向における幅は、突起に近づくに従い次第に大きくなってもよい。これにより、ラッチ部材の揺動中心がラッチ部材に対してケージの反対側に位置し易くなり、係合を解除する際、突起の移動方向をケージから斜めに離れる方向とすることができる。従って、係合を解除する際の突起とケージとの引っ掛かりを低減することができる。
【００１９】
上記の光トランシーバにおいて、一対の凸部におけるラッチ部材と当接する表面は、第１方向及び第２方向に沿った断面内において湾曲する曲面であってもよい。これにより、ラッチ部材の揺動動作をより滑らかにすることができる。
【００２０】
［本発明の実施形態の詳細］
本発明の実施形態に係る光トランシーバの具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。以下の説明では、図面の説明において同一の要素には同一の符号を付し、重複する説明を省略する。
【００２１】
図１は、本実施形態に係る光トランシーバ挿抜機構１の構成を示す斜視図である。同図に示すように、光トランシーバ挿抜機構１は、光トランシーバ２と、ホスト装置３に設けられたケージ４とを備える。ホスト装置３は、プリント配線基板３１を有しており、プリント配線基板３１の実装面３１ａ上には多数の電子部品が実装されている。ケージ４もまた実装面３１ａ上に実装されている。ケージ４は、挿抜方向（第１方向）Ａ１に沿って延びるケージ本体４１を有する。挿抜方向Ａ１に垂直なケージ本体４１の断面形状は、例えば長方形である。ケージ本体４１は、光トランシーバ２を収容する空間を有する。また、ケージ本体４１は、挿抜方向Ａ１における該空間の一端に、開口４２を有する。開口４２は、プリント配線基板３１の縁に位置し、プリント配線基板３１の外方を向いている。ケージ４は例えば金属製である。
【００２２】
光トランシーバ２は、ＳＦＰ規格に準拠しており、全二重双方向光通信を行う。光トランシーバ２は、挿抜方向Ａ１に沿って、開口４２を通じてケージ４のケージ本体４１に対し挿抜（挿入及び抜出）される。図２及び図３は、光トランシーバ２の外観を示す斜視図である。図２は光トランシーバ２を斜め上方から見た斜視図であり、図３は光トランシーバ２を斜め下方から見た斜視図である。図２及び図３に示すように、光トランシーバ２は、ハウジング２０、スライダ２２、及びプルタブ２３を備える。なお、図２及び図３には、挿抜方向Ａ１に加えて、挿抜方向Ａ１と交差（例えば直交）する方向Ａ２（第２方向）、並びに挿抜方向Ａ１及び方向Ａ２と交差（例えば直交）する方向Ａ３が併せて示されている。
【００２３】
ハウジング２０は、主部２１及びカバー５１を含んで構成される。主部２１は、本実施形態における第２部材である。主部２１は、挿抜方向Ａ１に沿って延びる細長形状の金属部材である。挿抜方向Ａ１に垂直な主部２１の断面形状は、例えば長方形である。主部２１は、挿抜方向Ａ１に沿って延びる一対の側面２１ａ，２１ｂと、上面２１ｃと、底面２１ｄとを有する。また、主部２１は、光ファイバの先端に設けられた光コネクタと結合する一対の光レセプタクル２１１，２１２を、挿抜方向Ａ１における一端に収容している。更に、主部２１は、ケージ４の内部に設けられた電気的なコネクタと接続される電気的なコネクタを、挿抜方向Ａ１における他端に収容している。なお、以下の説明において、光トランシーバ２の電気的コネクタ側の一端に向く方向を前方と称し、光レセプタクル２１１，２１２側の一端に向く方向を後方と称することがある。
【００２４】
図４は、主部２１に取り付けられたカバー５１を拡大して示す斜視図である。カバー５１は、本実施形態における第１部材である。図４に示されるように、カバー５１は、ネジ５２，５３により主部２１の底面２１ｄに固定されている。カバー５１は、底面２１ｄに沿って延在する板状の部材であり、光レセプタクル２１１，２１２の直下に位置する底面２１ｄの部分（言い換えると、底面２１ｄの後端寄りの部分）を覆っている。カバー５１は、例えば亜鉛ダイカスト製である。
【００２５】
スライダ２２は、ハウジング２０に取り付けられ、ハウジング２０に対して相対的に挿抜方向Ａ１に沿って移動する部材である。スライダ２２は、主に金属製であり、ハウジング２０の後端寄りの位置に設けられている。スライダ２２は、ハウジング２０の主部２１の長方形状の断面における３辺（図３に示される側面２１ａ，２１ｂ及び底面２１ｄの各一部）を囲んでおり、板状の部材を折り曲げることにより形成されている。スライダ２２のうち底面２１ｄ上の部分は、主部２１とカバー５１との間に配置されている。
【００２６】
プルタブ２３は、スライダ２２と連結された略Ｕ字状の部材である。プルタブ２３は、ハウジング２０及びスライダ２２よりも柔らかい材料（例えば可撓性樹脂）によって構成されている。略Ｕ字状のプルタブ２３とスライダ２２とが結合されることによって、環が構成される。作業者は、この環の中に指を差し込むことによって、プルタブ２３を抜出方向に引っ張ることができる。なお、プルタブ２３は、作業者がつまむ等によって抜出方向に引っ張ることができればよく、その形状は略Ｕ字状に限られない。
【００２７】
図５の（ａ）及び（ｂ）は、スライダ２２がハウジング２０に対して相対的に移動する様子を示す斜視図である。図５の（ａ）はスライダ２２が前方に移動した状態を示し、図５の（ｂ）はスライダ２２が後方に移動した状態（すなわちプルタブ２３が抜出方向に引っ張られた状態）を示す。プルタブ２３が抜出方向に引っ張られると、プルタブ２３に加えられた力がスライダ２２に伝わり、スライダ２２がハウジング２０に対して相対的に後方に移動する。なお、プルタブ２３を引っ張る力がなくなると、後述する弾性部材の作用によって、スライダ２２は自動的に、ハウジング２０に対して相対的に前方に移動し、元の位置に戻る。
【００２８】
図６の（ａ）及び（ｂ）は、スライダ２２及びプルタブ２３の外観を示す斜視図である。図６の（ａ）はスライダ２２及びプルタブ２３を斜め上方から見た斜視図であり、図６の（ｂ）はスライダ２２及びプルタブ２３を斜め下方から見た斜視図である。スライダ２２は、一対の側板２２ａ，２２ｂと、これらの側板２２ａ，２２ｂ同士を繋ぐ底板２２ｇとを有する。側板２２ａ，２２ｂは、それぞれハウジング２０の主部２１の側面２１ａ，２１ｂ上に位置し、これらの側面２１ａ，２１ｂに沿ってそれぞれ延びている。ハウジング２０の主部２１は、方向Ａ１に沿って延びており外側方（方向Ａ３）に突出する一対のガイド２１ｔ（図５を参照、図には一方のガイド２１ｔのみ示す）を有しており、側板２２ａ，２２ｂの底板２２ｇとは反対側の一端は、ガイド２１ｔに当接し、ガイド２１ｔに沿って方向Ａ１に摺動する。これにより、スライダ２２の移動時における傾きが抑制される。底板２２ｇは、主部２１の底面２１ｄ上に位置し、底面２１ｄに沿って延びている。前述したように、底板２２ｇは主部２１の底面２１ｄとカバー５１との間に配置される。
【００２９】
底板２２ｇには、複数の開口（孔）２２ｃ〜２２ｆ及び２２ｈが形成されている。これらの開口２２ｃ〜２２ｆ及び２２ｈは、挿抜方向Ａ１を長手方向として形成されている。開口２２ｃと開口２２ｄとは、挿抜方向Ａ１と交差する方向Ａ３に沿って並んでおり、該方向Ａ３における底板２２ｇの両端に位置する。開口２２ｅと開口２２ｆとは、方向Ａ３に沿って並んでおり、該方向Ａ３において開口２２ｃと開口２２ｄとの間に位置する。開口２２ｈは、開口２２ｅと開口２２ｆとの間であって、方向Ａ３における底板２２ｇの略中央に形成されている。
【００３０】
図７は、主部２１の底面２１ｄの前端付近を拡大して示す斜視図である。図７に示されるように、底面２１ｄからは、鈎状の一対の突起２１ｅ，２１ｆが突出している。突起２１ｅ，２１ｆは、互いに間隔をあけて方向Ａ３に沿って並んでいる。突起２１ｅは、挿抜方向Ａ１に沿った底面２１ｄの中心軸線を挟む一方側の領域に配置されており、突起２１ｆは他方側の領域に配置されている。また、底面２１ｄには、半円柱面を有する凸部２１ｇ〜２１ｊが設けられている。凸部２１ｇ及び２１ｈは、方向Ａ３に沿ってそれぞれ延在している。凸部２１ｇ及び２１ｈは、底面２１ｄの上記中心軸線上に配置され、凸部２１ｈが凸部２１ｇに対して前方に位置するように挿抜方向Ａ１に沿って並んでいる。凸部２１ｈの更に前方には、凹部２１ｒが形成されている。凸部２１ｈは、凹部２１ｒの後端の縁に被さるように形成されている。凸部２１ｉ及び２１ｊは、挿抜方向Ａ１に沿ってそれぞれ延在している。凸部２１ｉ及び２１ｊは、底面２１ｄの上記中心軸線を挟んだ両側にそれぞれ配置され、方向Ａ３に沿って並んでいる。また、主部２１は、底面２１ｄに形成された段差の側面である一対の壁面２１ｖ，２１ｗが設けられている。壁面２１ｖ，２１ｗは方向Ａ３に沿って並び、それらの法線方向は方向Ａ１に沿っている。そして、壁面２１ｖ，２１ｗは、底面２１ｄから方向Ａ２に沿って突出している。
【００３１】
図８の（ａ）及び（ｂ）は、主部２１の底面２１ｄ上にスライダ２２の底板２２ｇが配置された状態を示す斜視図である。図８の（ａ）はスライダ２２が前方に移動した状態を示し、図５の（ｂ）はスライダ２２が後方に移動した状態を示す。これらの図に示されるように、スライダ２２の開口２２ｃ，２２ｄそれぞれには、底面２１ｄ上の突起２１ｅ，２１ｆそれぞれが挿入及び係合している。これにより、スライダ２２の挿抜方向Ａ１における移動範囲（主に後方）が規定されるとともに、スライダ２２の方向Ａ３における動きが規制される。挿抜方向Ａ１におけるスライダ２２の移動範囲は、同方向における開口２２ｃ，２２ｄの長さによって定まる。また、図７に示された底面２１ｄ上の凸部２１ｇ，２１ｉ，及び２１ｊは、スライダ２２の底板２２ｇと当接する。底板２２ｇは、凸部２１ｇ，２１ｉ，及び２１ｊと当接しながら挿抜方向Ａ１に沿って摺動する。なお、底面２１ｄ上の凸部２１ｈは、底板２２ｇに覆われておらず底板２２ｇから露出している。図８の（ａ）に示されるように、スライダ２２が前方に移動した際、方向Ａ１におけるスライダ２２の底板２２ｇの前端は、壁面２１ｖ，２１ｗに当接する。これによって、スライダ２２の挿抜方向Ａ１における前方への移動範囲が規制される。底面２１ｄに形成された段差の側面である壁面２１ｖ，２１ｗに当接させるこのような構造によれば、突起２１ｅ，２１ｆにより規制する場合と比較して、大きな力が掛かった場合の変形のおそれが少なく、スライダ２２のスタック（ｓｔｕｃｋ）を低減できる。
【００３２】
図９は、カバー５１の外観を示す斜視図であって、主部２１と対向する側のカバー５１の面の形状を示している。図９に示されるように、カバー５１には、凸部５１ａ〜５１ｄが設けられている。凸部５１ａ〜５１ｃは半円柱面を有する。凸部５１ｄは、主部２１と対向する上面及び後方を向く側面を有する。そして、該上面と該側面との境界（エッジ）は丸められて曲面となっている。凸部５１ａ及び５１ｄは、方向Ａ３に沿ってそれぞれ延在している。凸部５１ａ及び５１ｄは、挿抜方向Ａ１に沿ったカバー５１の中心軸線上に配置され、凸部５１ｄが凸部５１ｇに対して前方に位置するように挿抜方向Ａ１に沿って並んでいる。凸部５１ａ，５１ｄそれぞれは、上述した主部２１の凸部２１ｇ，２１ｈ（図７を参照）それぞれと対向している。凸部５１ａ，５１ｄは、凸部２１ｇ，２１ｈに対してケージ本体４１側に位置する。凸部５１ｂ及び５１ｃは、挿抜方向Ａ１に沿ってそれぞれ延在している。凸部５１ｂ及び５１ｃは、カバー５１の上記中心軸線を挟んだ両側にそれぞれ配置され、方向Ａ３に沿って並んでいる。凸部５１ｂ，５１ｃそれぞれは、上述した主部２１の凸部２１ｉ，２１ｊ（図７を参照）それぞれと対向している。凸部５１ａ〜５１ｃは、スライダ２２の底板２２ｇと当接する。底板２２ｇは、凸部５１ａ〜５１ｃと当接しながら挿抜方向Ａ１に沿って摺動する。スライダ２２の底板２２ｇは、主部２１の凸部２１ｇ，２１ｉ，２１ｊそれぞれと、カバー５１の凸部５１ａ〜５１ｃそれぞれとの間に挟持される。これにより、挿抜方向Ａ１及び方向Ａ３の双方と交差する方向Ａ２におけるスライダ２２の動作が規制される。すなわち、ハウジング２０の主部２１の底面２１ｄとカバー５１とに挟まれたスライダ２２は、ハウジング２０により挿抜方向Ａ１に沿って移動可能に支持されている。
【００３３】
このように、スライダ２２は、カバー５１とハウジング２０との間に挟まる構造であるため、カバーがなく、スライダがハウジングの外側に設けられるような構成と比較して、スライダ２２に想定以上の力が掛かった場合であってもハウジング２０から外れることを抑制することができる。このことから、カバーがなく、スライダがハウジングの外側に設けられる構成に必須となる、外れや脱落を防止するための種々の構造を不要にできる。特に、スライダがハウジングを挟み込むことによりスライダを支持するような方式においては、スライダを移動させる際の摺動抵抗が大きくなり易い。本実施形態では、スライダ２２をカバー５１によって支えるので、スライダ２２を移動させる際の摺動抵抗を小さくすることができる。また、スライダ２２といった可動部品をハウジング２０の外側にて動作させ得るので、例えばハウジング２０の内部に可動部品を配置する場合と比較して、ハウジング２０の外側から内部の可動部品にアクセスするための機構を不要にすることができ、光トランシーバ２の小型化が可能になる。
【００３４】
また、ハウジング２０及びカバー５１は、半円柱面を有する凸形状（凸部２１ｇ，２１ｉ，２１ｊ、及び凸部５１ａ〜５１ｃ）においてスライダ２２と接するので、スライダ２２からの曲げ応力の影響を受けにくく、また摺動の際にスライダ２２の形状（エッジなど）の影響も受けにくい。このため、スライダ２２は、ハウジング２０及びカバー５１に対して滑らかに摺動することができる。更には、精度を高めることが容易なので、方向Ａ１における底板２２ｇの寸法が短い場合であっても安定した動作が可能になり、光トランシーバ２の更なる小型化に寄与できる。
【００３５】
また、本実施形態のスライダ２２は、板金加工（曲げおよび打ち抜き）といった単純な工程のみによって作製されることができる。従って、スライダ２２を高い寸法精度で容易に作製することができる。また、組み立ての際には、スライダ２２を主部２１に被せ、カバー５１を主部２１にネジ止めするだけなので、容易に組立を行うことができる。更には、組み立ての際にスライダ２２を変形（開くなど）させる必要がないので、組み立てによりスライダ２２を意図せず変形させてしまうリスクは小さい。
【００３６】
図１０及び図１１は、主部２１の底面２１ｄとカバー５１との間に収納される他の部品を示す図である。図１０はカバー５１が外された底面２１ｄを斜め下方から見た斜視図であり、図１１は分解斜視図である。図１０及び図１１に示されるように、本実施形態の光トランシーバ２は、ラッチ部材２４、弾性部材２５を更に備える。また、スライダ２２は、亜鉛ダイカスト製のスリット部材２６を更に有する。なお、本実施形態では、スリット部材２６とスライダ２２の他の部分（底板２２ｇ等）とが別体として構成されているが、これらは互いに固定されて一体化されてもよく、また、同じ材料から一体成型されてもよい。
【００３７】
スリット部材２６は、スリット２６ａを有する。スリット２６ａは、スリット部材２６を方向Ａ３に貫通する細長い開口であり、その延在方向は、挿抜方向Ａ１に対して方向Ａ２に傾斜する部分を含んでいる。この傾斜の向きは、光トランシーバ２の前端に近づくほどケージ本体４１に近づく向きである。スリット部材２６は、スライダ２２の底板２２ｇに形成された略長方形状の開口２２ｈ（図６，図８を参照）に嵌合し、スライダ２２とともに挿抜方向Ａ１に沿って移動する。なお、図７に示されるように、主部２１の底面２１ｄには、スリット部材２６を案内する浅い溝２１ｘが形成されている。溝２１ｘの平面形状は例えば略長方形状である。溝２１ｘは、挿抜方向Ａ１に沿って延在するとともに、方向Ａ３における底面２１ｄの中央部分において、凸部２１ｇと凸部２１ｈとの間に形成されている。また、図９に示されるように、カバー５１にも、スリット部材２６を案内する浅い溝５１ｆが形成されている。溝５１ｆは、溝２１ｘと対向しつつ挿抜方向Ａ１に沿って延在するとともに、方向Ａ３におけるカバー５１の中央部分において、凸部５１ａと凸部５１ｄとの間に形成されている。
【００３８】
図１２の（ａ）及び（ｂ）は、ラッチ部材２４の外観を示す斜視図である。図１２の（ａ）は斜め上方から見たラッチ部材２４の外観を示し、図１２の（ｂ）は斜め下方から見たラッチ部材２４の外観を示す。これらの図に示されるように、ラッチ部材２４は、挿抜方向Ａ１を長手方向とし、挿抜方向Ａ１における後端部に設けられた揺動軸２４ａと、前端部に設けられた突起２４ｂとを有する。揺動軸２４ａおよび突起２４ｂは、挿抜方向Ａ１に並んで配置されている。揺動軸２４ａは、方向Ａ３に沿って延びる円柱状の部分である。突起２４ｂは、主部２１とは反対側（すなわち図１に示されたケージ本体４１側）に向けて方向Ａ２に突出している。突起２４ｂは、光トランシーバ２がケージ４に挿入された際に、ケージ本体４１と係合する。また、ラッチ部材２４は、下面２４ｃ及び上面２４ｄを有する。下面２４ｃはカバー５１と対向し、上面２４ｄは主部２１の底面２１ｄと対向する。下面２４ｃ及び上面２４ｄは平坦であり、方向Ａ２と交差している。下面２４ｃ及び上面２４ｄは、挿抜方向Ａ１において揺動軸２４ａと突起２４ｂとの間に設けられている。
【００３９】
図１３は、主部２１とカバー５１との間にラッチ部材２４及びスリット部材２６が収容された状態を示す切り欠き斜視図である。図１３に示されるように、ラッチ部材２４の揺動軸２４ａは、スリット部材２６のスリット２６ａに挿入され、スリット２６ａの延在方向に沿ってスリット２６ａ内を移動する。カバー５１の凸部５１ｄ、及び主部２１の底面２１ｄに形成された凸部２１ｈは、本実施形態における一対の凸部を構成し、方向Ａ２におけるラッチ部材２４の両側にそれぞれ位置する。そして、ラッチ部材２４の下面２４ｃは、カバー５１の凸部５１ｄと当接する。また、ラッチ部材２４の上面２４ｄは、主部２１の底面２１ｄに形成された凸部２１ｈと当接する。これにより、一対の凸部５１ｄ，２１ｈが、挿抜方向Ａ１及び方向Ａ２に沿った架空面内においてラッチ部材２４を揺動可能に支持する。なお、図１３は、スライダ２２が前方に移動した状態を示している。このとき、ラッチ部材２４の突起２４ｂが下がり、ケージ本体４１と係合する。
【００４０】
ラッチ部材２４において一対の凸部５１ｄ，２１ｈと当接する部分（すなわち下面２４ｃと上面２４ｄとに挟まれた部分）の方向Ａ２における幅Ｗａは、突起２４ｂに近づくに従い次第に大きくなる。言い換えると、上面２４ｄは下面２４ｃに対して僅かに傾斜している。また、一対の凸部５１ｄ，２１ｈにおけるラッチ部材２４と当接する表面は、挿抜方向Ａ１及び方向Ａ２に沿った断面内において湾曲する曲面となっている。
【００４１】
図１４及び図１５は、スライダ２２が後方に移動した状態を示す図である。図１４はカバー５１が外された底面２１ｄを斜め下方から見た斜視図であり、図１５は切り欠き斜視図である。これらの図に示されるように、スライダ２２が後方に移動すると、スリット部材２６も後方に移動するので揺動軸２４ａがスリット２６ａ内を相対的に移動する。スリット２６ａの延在方向は挿抜方向Ａ１に対して方向Ａ２に傾斜する部分を含んでいるので、揺動軸２４ａは下方（ケージ本体４１側）へ移動する。このとき、ラッチ部材２４の挿抜方向Ａ１における中央部付近では、方向Ａ２における移動が一対の凸部５１ｄ，２１ｈによって規制されているので、突起２４ｂが持ち上がる。すなわち、突起２４ｂは主部２１の底面２１ｄ側へ移動し、底面２１ｄに形成された凹部２１ｒに収容される。これにより、突起２４ｂとケージ本体４１との係合が解除される。
【００４２】
このように、本実施形態ではスリット部材２６とスライダ２２とが別体として構成されており、開口２２ｈに収容されたスリット部材２６をスライダ２２が押し引きすることにより、ラッチ部材２４が間接的に動作する。この場合、スライダ２２がラッチ部材２４を直接動かさないので、スライダ２２の姿勢（傾きなど）がラッチ動作に影響しにくい。
【００４３】
ここで、再び図１０及び図１１を参照する。弾性部材２５は、主部２１の底面２１ｄとカバー５１との間に配置されており、底面２１ｄから突出する突起２１ｅ，２１ｆに巻き付けられて移動を規制されている。弾性部材２５は、スリット部材２６の後端面を前方に押しており、ラッチ部材２４の突起２４ｂとケージ本体４１との係合が解除されるスライダ２２の位置から、突起２４ｂがケージ本体４１と係合するスライダ２２の位置へ向けてスライダ２２を付勢する。前述したように、プルタブ２３を引っ張る力がなくなると、スライダ２２は自動的に前方に移動して元の位置に戻る。本実施形態の弾性部材２５は、所謂ねじりばね（トーションばね）といった形状を有しており、一対のコイル状部分２５ａと、各コイル状部分２５ａから互いに反対方向に突出した一対の端部２５ｂとを有する。突起２１ｅ，２１ｆそれぞれは、一対のコイル状部分２５ａそれぞれに挿通されている。一対の端部２５ｂは、スリット部材２６の後端面に当接しており、スリット部材２６を前方に付勢する。
【００４４】
以上に説明した本実施形態の光トランシーバ２によって得られる作用効果について説明する。前述したように、この光トランシーバ２においては、当該光トランシーバ２がホストシステムのケージ本体４１に挿入されている状態で使用者がプルタブ２３を後方に引っ張ると、これに連動してスライダ２２が後方に移動する。このとき、スライダ２２のスリット２６ａもまた後方に移動するので、ラッチ部材２４の揺動軸２４ａが光トランシーバ２の外側（ケージ本体４１側）へ移動する。ラッチ部材２４はハウジング２０の一対の凸部２１ｈ，５１ｄによって揺動可能に支持されているので、ラッチ部材２４の揺動軸２４ａがケージ本体４１側へ移動すると、ラッチ部材２４の突起２４ｂはケージ本体４１側とは反対側へ移動する（図１４，図１５を参照）。これにより、ラッチ部材２４の突起２４ｂとケージ本体４１との係合が解除される。このような機構によれば、スライダ２２の直線移動とラッチ部材２４の揺動のみによってケージ本体４１との係合を解除することができ、特許文献１のような大型のクランクを必要としない。従って、光コネクタとの干渉を抑制すると共に、限られたスペースでも使用することができる。
【００４５】
また、本実施形態のように、ハウジング２０は、一対の凸部２１ｈ，５１ｄのうちケージ本体４１側に位置する一方の凸部５１ｄを含むカバー５１と、他方の凸部２１ｈを含む主部２１と、を含み、主部２１とカバー５１とが互いに固定されて成ってもよい。この場合、ハウジング２０を組み立てる際にラッチ部材２４を主部２１とカバー５１との間に挟み込むことにより、一対の凸部２１ｈ，５１ｄをラッチ部材２４の両側から容易に当接させることができる。
【００４６】
また、本実施形態のように、スライダ２２のうち少なくともスリット２６ａを含む部分（スリット部材２６及び底板２２ｇ）が主部２１とカバー５１との間に配置されてもよい。これにより、可動であるスリット部材２６及び底板２２ｇをカバー５１によって覆うことができ、光トランシーバ２の外部の構造体（ケージ本体４１等）に引っ掛かることを抑制できる。故に、スライダ２２の脱離及び動作異常を低減できる。
【００４７】
また、本実施形態のように、光トランシーバ２は弾性部材２５を更に備え、ラッチ部材２４の突起２４ｂとケージ本体４１との係合が解除されるスライダ２２の位置から、突起２４ｂがケージ本体４１と係合されるスライダ２２の位置へ向けて弾性部材２５がスライダ２２を付勢してもよい。これにより、ラッチ部材２４の突起２４ｂとケージ本体４１との係合が意図せず解除されることを抑制できる。
【００４８】
また、本実施形態のように、一対の凸部２１ｈ，５１ｄにおけるラッチ部材２４と当接する表面は、挿抜方向Ａ１及び方向Ａ２に沿った断面内において湾曲する曲面であってもよい。これにより、ラッチ部材２４の揺動動作をより滑らかにすることができる。
【００４９】
ここで、本実施形態の光トランシーバ２によって得られる別の作用効果について説明する。図１６は、ラッチ部材２４の突起２４ｂと、ケージ本体４１のラッチ機構２０１に形成された開口の縁２０１ａとが係合している様子を示す断面図である。この係合が解除される際、仮に、突起２４ｂが図中の矢印Ｂのように斜め後方に持ち上がると、突起２４ｂの後端面が縁２０１ａに引っ掛かり、突起２４ｂがスムーズに持ち上がらない虞がある。そのため、光トランシーバ２がケージ本体４１から抜けなくなる虞がある。
【００５０】
図１７は、本実施形態のラッチ部材２４の揺動動作を示す断面図であって、ラッチ部材２４及びスリット部材２６の挿抜方向Ａ１及び方向Ａ２に沿った断面を示す。図１７に示されるように、本実施形態においては、スリット２６ａの中心軸線が湾曲しており、その曲率中心はケージ本体４１側（すなわちカバー５１側）とは反対側（主部２１側）に位置する。従って、スリット２６ａの湾曲は、ケージ本体４１に向けて凸となる。また、上述したように、ラッチ部材２４において一対の凸部５１ｄ，２１ｈと当接する部分の方向Ａ２における幅Ｗａは、突起２４ｂに近づくに従い次第に大きくなる。更に、ラッチ部材２４は主部２１及びカバー５１に固定されておらず、一対の凸部５１ｄ，２１ｈによって摺動可能に支えられているのみである。このような構成において、本実施形態のラッチ部材２４の揺動中心は、図中の点Ｃとなる。点Ｃは、ラッチ部材２４の外部に位置し、且つ、ラッチ部材２４に対してケージ本体４１とは反対側に位置する。このような構成において、突起２４ｂとケージ本体４１との係合が解除される際、揺動軸２４ａは点Ｃを中心とする円弧Ｃ１上を移動し、突起２４ｂは点Ｃを中心とする円弧Ｃ２上を移動する。従って、突起２４ｂは、方向Ａ２に対して後方ではなく前方に傾斜した方向に移動することとなる。このように、係合を解除する際、突起２４ｂの移動方向はケージ本体４１から斜めに離れる方向となるので、係合が解除される際における突起２４ｂのケージ本体４１との引っ掛かりを抑制し、光トランシーバ２がケージ本体４１から抜けなくなる虞を低減できる。
【００５１】
このようなことから、本実施形態のように、スリット２６ａは湾曲し、その曲率中心はケージ本体４１側とは反対側に位置してもよい。これにより、ラッチ部材２４の揺動中心（点Ｃ）がラッチ部材２４に対してケージ本体４１の反対側に位置し易くなり、係合を解除する際、突起２４ｂの移動方向をケージ本体４１から斜めに離れる方向とすることができる。従って、係合を解除する際の突起２４ｂとケージ本体４１との引っ掛かりを低減することができる。
【００５２】
また、本実施形態のように、ラッチ部材２４の幅Ｗａは突起２４ｂに近づくに従い次第に大きくなってもよい。これにより、ラッチ部材２４の揺動中心（点Ｃ）がラッチ部材２４に対してケージ本体４１の反対側に位置し易くなり、係合を解除する際、突起２４ｂの移動方向をケージ本体４１から斜めに離れる方向とすることができる。従って、係合を解除する際の突起２４ｂとケージ本体４１との引っ掛かりを低減することができる。
【００５３】
（第１変形例）
図１８は、上記実施形態の第１変形例に係るラッチ部材２４Ａの外観を示す斜視図である。図１８に示されるように、本変形例のラッチ部材２４Ａは、上記実施形態の平坦な上面２４ｄに代えて、凹部２４ｅを有する。凹部２４ｅは、下面２４ｃとは反対側の面（すなわちケージ本体４１とは反対側の面）に形成されている。凹部２４ｅは、方向Ａ３に沿って延在している。なお、ラッチ部材２４Ａの他の構成は上記実施形態のラッチ部材２４と同様である。
【００５４】
図１９及び図２０は、ラッチ部材２４Ａが主部２１とカバー５１との間に収容された状態を示す断面図である。図１９はスライダ２２が前方に移動した状態（すなわち突起２４ｂがケージ本体４１と係合した状態）を示し、図２０はスライダ２２が後方に移動した状態（すなわち突起２４ｂとケージ本体４１との係合が解除された状態）を示す。これらの図に示されるように、凹部２４ｅは、一対の凸部２１ｈ，５１ｄのうちケージ本体４１側とは反対側に位置する凸部２１ｈを収容するとともに、その内面において凸部２１ｈと当接する。挿抜方向Ａ１及び方向Ａ２に沿った断面における凹部２４ｅの内面の形状は、挿抜方向Ａ１に対して長軸が傾斜した長円の一部である。すなわち、挿抜方向Ａ１における凹部２４ｅと凸部２１ｈとの間には隙間が設けられている。この隙間は、挿抜方向Ａ１における、ハウジング２０に対する相対的なラッチ部材２４Ａの可動範囲を規定する。
【００５５】
本変形例のように、ラッチ部材２４Ａは、ケージ本体４１とは反対側の面に形成された凹部２４ｅを有し、凹部２４ｅは、凸部２１ｈを収容するとともにその内面において凸部２１ｈと当接してもよい。これにより、挿抜方向Ａ１におけるハウジング２０に対するラッチ部材２４Ａの過度な移動を規制し、ラッチ部材２４Ａを所定の位置に安定して留め置くことができる。この場合、挿抜方向Ａ１における凹部２４ｅと凸部２１ｈとの間の隙間が、該方向におけるラッチ部材２４Ａの可動範囲を規定してもよい。これにより、ラッチ部材２４Ａを所定の可動範囲内に安定して留め置くことができる。
【００５６】
（第２変形例）
図２１及び図２２は、第２変形例に係るラッチ部材２４Ｂが主部２１とカバー５１との間に収容された状態を示す断面図である。図２１はスライダ２２が前方に移動した状態（すなわち突起２４ｂがケージ本体４１と係合した状態）を示し、図２２はスライダ２２が後方に移動した状態（すなわち突起２４ｂとケージ本体４１との係合が解除された状態）を示す。本変形例のラッチ部材２４Ｂは、第１変形例に係るラッチ部材２４Ａと同様に、上記実施形態の平坦な上面２４ｄに代えて、凹部２４ｆを有する。凹部２４ｆは、下面２４ｃとは反対側の面（すなわちケージ本体４１とは反対側の面）に形成されている。凹部２４ｆは、方向Ａ３に沿って延在している。なお、ラッチ部材２４Ｂの他の構成は上記実施形態のラッチ部材２４と同様である。
【００５７】
但し、本変形例の凹部２４ｆの断面形状は、第１変形例の凹部２４ｅの断面形状とは異なっている。すなわち、挿抜方向Ａ１及び方向Ａ２に沿った断面における凹部２４ｆの内面の形状は、平坦部２４ｊ及び２４ｋと、曲面２４ｉとを含んでいる。平坦部２４ｊは、凹部２４ｆの後端の縁から下面２４ｃに向けて方向Ａ２に沿って延びている。平坦部２４ｋは、凹部２４ｆの前端の縁から下面２４ｃに向けて方向Ａ２に対し傾斜する方向に沿って延びている。曲面２４ｉは、半円筒の内面といった形状を有し、平坦部２４ｊ及び２４ｋを相互に接続する。
【００５８】
また、本実施形態の主部２１は、上記実施形態の凸部２１ｈに代えて、凸部２１ｋを有する。凸部２１ｋは、凸部２１ｈと同じ位置に設けられており、凸部２１ｈと同様に方向Ａ３に沿って延びている。但し、挿抜方向Ａ１及び方向Ａ２に沿った断面における凸部２１ｋの断面形状は、凸部２１ｈのような半円柱形状ではなく、上述した凹部２４ｆと嵌合する形状を有する。
【００５９】
図２３は、本変形例のラッチ部材２４Ｂの揺動動作を示す断面図であって、ラッチ部材２４Ｂ及びスリット部材２６の挿抜方向Ａ１及び方向Ａ２に沿った断面を示す。図２３に示されるように、ラッチ部材２４Ｂは、凹部２４ｆの内面のうち揺動軸２４ａ側の縁において、主部２１の凸部２１ｋに当接する。そして、ラッチ部材２４Ｂは凹部２４ｆの揺動軸２４ａ側の縁を中心として揺動する。すなわち、本変形例ではラッチ部材２４Ｂの揺動中心点Ｃが凹部２４ｆの揺動軸２４ａ側の縁に位置する。そして、突起２４ｂとケージ本体４１との係合が解除される際、揺動軸２４ａは、点Ｃを中心とする円弧Ｃ１上を移動し、突起２４ｂは、点Ｃを中心とする円弧Ｃ２上を移動する。従って、突起２４ｂは、方向Ａ２に対して前方に傾斜した方向に移動することとなる。このように、係合を解除する際、突起２４ｂの移動方向はケージ本体４１から斜めに離れる方向となるので、係合が解除される際における突起２４ｂのケージ本体４１との引っ掛かりを抑制し、光トランシーバ２がケージ本体４１から抜けなくなる虞を低減できる。
【００６０】
また、上述したように、本変形例のラッチ部材２４Ｂは、ケージ本体４１とは反対側の面に形成された凹部２４ｆを有し、凹部２４ｆは、凸部２１ｋを収容するとともにその内面において凸部２１ｋと当接する。これにより、挿抜方向Ａ１におけるハウジング２０に対するラッチ部材２４Ｂの過度な移動を規制し、ラッチ部材２４Ｂを所定の位置に安定して留め置くことができる。
【００６１】
（第３変形例）
図２４〜図２７は、上記実施形態の第３変形例に係る光トランシーバ２Ａの一部を拡大して示す図である。図２４はカバー５１が外された底面２１ｄを斜め下方から見た斜視図であり、図２５はその底面図である。図２６の（ａ）は図２５のXXVIa−XXVIa線に沿った断面図であり、図２６の（ｂ）は図２５のXXVIb−XXVIb線に沿った断面図である。図２６の（ａ）及び（ｂ）は、スライダ２２が前方に移動した状態を示す。図２７の（ａ）及び（ｂ）は、スライダ２２が後方に移動した状態を示す断面図である。図２７の（ａ）は図２６の（ａ）と同じ断面を示しており、図２７の（ｂ）は図２６の（ｂ）と同じ断面を示している。
【００６２】
図２４及び図２５に示されるように、本変形例の光トランシーバ２Ａでは、主部２１の底面２１ｄに突起２１ｍ，２１ｎが形成されている。突起２１ｍ，２１ｎは、底面２１ｄの中心軸線を間に挟んで、方向Ａ３に沿って並んで設けられている。突起２１ｍ，２１ｎは、それぞれ凹部２１ｐ，２１ｑを有する。また、図２６の（ａ）及び（ｂ）に示されるように、カバー５１は、凹部２１ｐと対向する凹部５１ｅと、該凹部５１ｅと同様の形状を有し凹部２１ｑと対向する凹部（図示せず）とを有する。凹部５１ｅと凹部２１ｐとが互いに組み合わされることにより、スリット２６ａとは別のスリット６１が構成される。同様に、カバー５１の別の凹部と凹部２１ｑとが互いに組み合わされることにより、スリット２６ａとは別のスリット（図示せず）が構成される。
【００６３】
スリット６１は、挿抜方向Ａ１に対して方向Ａ２に傾斜する部分を含む。本実施形態ではスリット６１の全体が挿抜方向Ａ１に対して傾斜している。この傾斜の向きはスリット２６ａ（図１１参照）と同様であって、光トランシーバ２Ａの前端に近づくほどケージ本体４１に近づく向きである。但し、スリット６１の延在方向は直線状であり、スリット２６ａのように湾曲はしていない。また、挿抜方向Ａ１に対するスリット６１の傾斜角は、同方向に対するスリット２６ａの傾斜角よりも大きい。更に、スリット６１の長さは、スリット２６ａよりも短い。カバー５１の別の凹部と凹部２１ｑとが互いに組み合わされて構成される別のスリットもまた、スリット６１と同様の形状を有する。
【００６４】
図２４に示されるように、本実施形態の光トランシーバ２Ａは、上記実施形態のラッチ部材２４に代えて、ラッチ部材２４Ｃを備えている。ラッチ部材２４Ｃは、上記実施形態のラッチ部材２４の構成に加えて、軸部２４ｇ，２４ｈを更に有する。軸部２４ｇ，２４ｈは、揺動軸２４ａとは別の軸である。軸部２４ｇ，２４ｈは、挿抜方向Ａ１において、一対の凸部２１ｈ，５１ｄに当接する部分（すなわち下面２４ｃ及び上面２４ｄ）と揺動軸２４ａとの間に設けられている。軸部２４ｇ，２４ｈは、方向Ａ３に沿って延びる一本の軸線上に位置し、それぞれ該軸線を中心線とする円柱状を呈する。軸部２４ｇは、上述したスリット６１に挿入され、スリット６１内を相対的に移動する。軸部２４ｈは別のスリットに挿入され、該スリット内を相対的に移動する。
【００６５】
本変形例のように、ハウジング２０は、挿抜方向Ａ１に対して方向Ａ２に傾斜するスリット６１を更に有し、ラッチ部材２４Ｃは、挿抜方向Ａ１において一対の凸部２１ｈ，５１ｄに当接する部分と揺動軸２４ａとの間に設けられてスリット６１内を移動する軸部２４ｇを更に有してもよい。これにより、ラッチ部材２４Ｃの揺動動作をより安定させることができる。また、本変形例のように、スリット６１は、主部２１に形成された凹部２１ｐと、カバー５１に形成された凹部５１ｅとが互いに組み合わされて構成されてもよい。これにより、ハウジング２０を組み立てる際に、スリット６１に軸部２４ｇを容易に収容することができる。
【００６６】
（第４変形例）
図２８の（ａ）及び（ｂ）は、上記実施形態の第４変形例に係るスリット部材２６Ａ及びその周辺構造を示す断面図である。図２８の（ａ）はスライダ２２が前方に移動した状態を示し、図２８の（ｂ）は図２８の（ａ）からスライダ２２の位置が僅かに変動した状態を示す。これらの図に示されるように、本変形例のスリット部材２６Ａは、上記実施形態のスリット２６ａに代えて、スリット２６ｂを有する。スリット２６ｂは、部分２６ｂ１と部分２６ｂ２とを含む。部分２６ｂ１は、上記実施形態のスリット２６ａと同様の形状を有する部分であって、挿抜方向Ａ１に対して傾斜している。部分２６ｂ２は、部分２６ｂ１の先端（後端）に繋がっており、その延在方向が挿抜方向Ａ１に沿って延びている。
【００６７】
本変形例では、スライダ２２が後方に移動した場合であっても、その移動が僅かであれば（図２８の（ｂ））、ラッチ部材２４の揺動軸２４ａがスリット２６ｂの部分２６ｂ２内を移動するにとどまり、ラッチ部材２４は揺動しない。そして、スライダ２２の移動距離が部分２６ｂ２の長さを超えると、揺動軸２４ａが部分２６ｂ１内を移動し、ラッチ部材２４が揺動することにより突起２４ｂとケージ本体４１との係合が解除される。
【００６８】
本変形例のように、スリット２６ｂは、挿抜方向Ａ１に対して傾斜する部分２６ｂ１の先端に繋がっており挿抜方向Ａ１に沿って延びる部分２６ｂ２を有してもよい。これにより、スライダ２２の移動が僅かである場合にはラッチ部材２４が揺動しないので、光トランシーバ２とケージ本体４１との係合の意図しない解除を抑制することができる。
【００６９】
（第５変形例）
図２９及び図３０は、第５変形例に係るラッチ部材２４Ｄが主部２１とカバー５１との間に収容された状態を示す断面図である。図２９はスライダ２２が前方に移動した状態（すなわち突起２４ｂがケージ本体４１と係合した状態）を示し、図３０はスライダ２２が後方に移動した状態（すなわち突起２４ｂとケージ本体４１との係合が解除された状態）を示す。本変形例のラッチ部材２４Ｄは、上面２４ｄに形成された凸部２４ｓを有する。凸部２４ｓは、方向Ａ３に沿って延在しており、ハウジング２０の主部２１に向けて突出している。凸部２４ｓと上面２４ｄとの境界部分２４ｔは、滑らかな凹状の曲面となっており、一例では一定の曲率半径を有する円筒内面の一部を成している。凸部２４ｓの先端は、滑らかな凸状の曲面となっており、一例では一定の曲率半径を有する円柱面の一部（半円柱面）を成している。なお、ラッチ部材２４Ｄの他の構成は上記実施形態のラッチ部材２４と同様である。
【００７０】
本変形例において、主部２１の底面２１ｄには、凸部２４ｓを収容する凹部２１ｙが形成されている。凹部２１ｙは、凸部２１ｈの後方（揺動軸２４ａ側）に凸部２１ｈと隣接して設けられており、凸部２１ｈと凹部２１ｙとは、壁面２１ｚによって滑らかに繋がっている。壁面２１ｚには、凸部２４ｓの前端面２４ｕが当接する。また、凹部２１ｙは後壁面２１ｓを有しており、後壁面２１ｓには凸部２４ｓの後端面２４ｗが当接する。
【００７１】
図３１は、本変形例のラッチ部材２４Ｄの揺動動作を示す断面図であって、ラッチ部材２４Ｄ及びスリット部材２６の挿抜方向Ａ１及び方向Ａ２に沿った断面を示す。図３１に示されるように、ラッチ部材２４Ｄは、凸部２４ｓの前端面２４ｕを中心として揺動する。すなわち、本変形例ではラッチ部材２４Ｄの揺動中心点Ｃが凸部２４ｓの前端面２４ｕに位置する。そして、突起２４ｂとケージ本体４１との係合が解除される際、揺動軸２４ａは、点Ｃを中心とする円弧Ｃ１上を移動し、突起２４ｂは、点Ｃを中心とする円弧Ｃ２上を移動する。従って、突起２４ｂは、方向Ａ２に対して前方に傾斜した方向に移動することとなる。このように、係合を解除する際、突起２４ｂの移動方向はケージ本体４１から斜めに離れる方向となるので、係合が解除される際における突起２４ｂのケージ本体４１との引っ掛かりを抑制し、光トランシーバ２がケージ本体４１から抜けなくなる虞を低減できる。
【００７２】
また、上述したように、本変形例のラッチ部材２４Ｄは、ケージ本体４１とは反対側の面に形成された凸部２４ｓを有し、凸部２４ｓは、凹部２１ｙに収容されるとともにその前端面２４ｕにおいて壁面２１ｚと当接する。また、凹部２１ｙの後壁面２１ｓには凸部２４ｓの後端面２４ｗが当接する。これにより、挿抜方向Ａ１におけるハウジング２０に対するラッチ部材２４Ｄの過度な移動を規制し、ラッチ部材２４Ｄを所定の位置に安定して留め置くことができる。
【００７３】
また、本変形例では、第２変形例とは異なり、揺動中心点Ｃが基準面Ｌ１（底面２１ｄの主要面）よりも主部２１側の内側に位置する。このように、揺動中心点Ｃを主部２１側の内側に寄せることによって、突起２４ｂを第２変形例よりも更に前方に傾斜した方向に移動させることができる。従って、係合が解除される際における突起２４ｂのケージ本体４１との引っ掛かりをより効果的に抑制できる。
【００７４】
本発明による光トランシーバは、上述した実施形態に限られるものではなく、他に様々な変形が可能である。例えば、上述した各実施形態及び各変形例を、必要な目的及び効果に応じて互いに組み合わせてもよい。
【符号の説明】
【００７５】
１…光トランシーバ挿抜機構、２，２Ａ…光トランシーバ、３…ホスト装置、４…ケージ、２０…ハウジング、２１…主部、２１ａ，２１ｂ…側面、２１ｃ…上面、２１ｄ…底面、２１ｅ，２１ｆ…突起、２１ｇ，２１ｈ，２１ｉ，２１ｊ，２１ｋ…凸部、２１ｍ，２１ｎ…突起、２１ｐ，２１ｑ，２１ｒ…凹部、２１ｓ…後壁面、２１ｔ…ガイド、２１ｖ，２１ｗ…壁面、２１ｘ…溝、２１ｙ…凹部、２１ｚ…壁面、２２…スライダ、２２ａ，２２ｂ…側板、２２ｃ，２２ｄ，２２ｅ，２２ｆ，２２ｈ…開口、２２ｇ…底板、２３…プルタブ、２４，２４Ａ，２４Ｂ，２４Ｃ…ラッチ部材、２４ａ…揺動軸、２４ｂ…突起、２４ｃ…下面、２４ｄ…上面、２４ｅ，２４ｆ…凹部、２４ｇ，２４ｈ…軸部、２４ｉ…曲面、２４ｊ，２４ｋ…平坦部、２４ｓ…凸部、２４ｔ…境界部分、２４ｕ…前端面、２４ｗ…後端面、２５…弾性部材、２５ａ…コイル状部分、２５ｂ…端部、２６，２６Ａ…スリット部材、２６ａ，２６ｂ…スリット、３１…プリント配線基板、３１ａ…実装面、４１…ケージ本体、４２…開口、５１…カバー、５１ａ，５１ｂ，５１ｃ，５１ｄ，５１ｇ…凸部、５１ｅ…凹部、５１ｆ…溝、５２，５３…ネジ、６１…スリット、Ａ１…挿抜方向、Ａ２，Ａ３…方向、Ｃ…揺動中心点、Ｃ１，Ｃ２…円弧。
【図１】
2019124927.tif 000003
【図２】
2019124927.tif 000004
【図３】
2019124927.tif 000005
【図４】
2019124927.tif 000006
【図５】
2019124927.tif 000007
【図６】
2019124927.tif 000008
【図７】
2019124927.tif 000009
【図８】
2019124927.tif 000010
【図９】
2019124927.tif 000011
【図１０】
2019124927.tif 000012
【図１１】
2019124927.tif 000013
【図１２】
2019124927.tif 000014
【図１３】
2019124927.tif 000015
【図１４】
2019124927.tif 000016
【図１５】
2019124927.tif 000017
【図１６】
2019124927.tif 000018
【図１７】
2019124927.tif 000019
【図１８】
2019124927.tif 000020
【図１９】
2019124927.tif 000021
【図２０】
2019124927.tif 000022
【図２１】
2019124927.tif 000023
【図２２】
2019124927.tif 000024
【図２３】
2019124927.tif 000025
【図２４】
2019124927.tif 000026
【図２５】
2019124927.tif 000027
【図２６】
2019124927.tif 000028
【図２７】
2019124927.tif 000029
【図２８】
2019124927.tif 000030
【図２９】
2019124927.tif 000031
【図３０】
2019124927.tif 000032
【図３１】
2019124927.tif 000033